(57)【要約】【課題】比較的安価で小型のデジタルカメラ等でビデオカメラと同等のズーム、手ブレ補正等を可能にする。【解決手段】このデジタルカメラ１０は動画撮影機能を有するもので、動画モードでの撮影時に電子ズームのズーム量、手ブレ量、及びカメラの横位置及び縦位置を含む姿勢のうちの少なくとも１つの情報を検出する。記録部４２は、撮影レンズ３６、ＣＣＤ３８及びカメラ信号処理部４０を介して入力するオリジナルの動画データと、動画撮影時に拡大／縮小処理部４４を介して入力するズーム情報等の情報とを関連付けてデジタルカメラ付属の記録媒体に記録する。オリジナルの動画データとそれに付属するズーム情報等の情報は、パーソナルコンピュータ５０に転送され、ここで付属の情報に基づいて動画データの電子ズーム処理等が行われ、処理後の動画データは再記録されたり、モニタに再生される。【選択図】          図２
2004248171.tif 000002
【特許請求の範囲】
【請求項１】
被写体を動画として撮影する撮像手段と、
動画撮影時の電子ズームのズーム量、手ブレ量、及び前記撮像手段の横位置及び縦位置を含む姿勢のうちの少なくとも１つの情報を検知する検知手段と、
前記撮像手段を介して取得したオリジナルの動画と、該動画の撮影時に前記検知手段が検知した情報とを関連付けて記録媒体に記録する第１の記録手段と、
を備えたことを特徴とする動画記録装置。
【請求項２】
請求項１に記載の動画記録装置の第１の記録手段に記録されたオリジナルの動画と該動画に付属する情報とを入力する入力手段と、
前記入力手段を介して入力した前記オリジナルの動画と該動画に付属する情報とに基づいて前記オリジナルの動画の画角、手ブレ、及び姿勢のうちの少なくとも１つを補正する補正手段と、
前記補正手段による補正後の動画を記録する第２の記録手段と、
前記第２の記録手段によって記録された補正後の動画を再生する再生手段と、
を備えたことを特徴とする動画再生装置。
【請求項３】
被写体を動画として撮影する撮像手段と、
動画撮影時の電子ズームのズーム量、手ブレ量、及び前記撮像手段の横位置及び縦位置を含む姿勢のうちの少なくとも１つの情報を検知する検知手段と、
前記撮像手段を介して取得したオリジナルの動画と、該動画の撮影時に前記検知手段が検知した情報とを関連付けて第１の記録媒体に記録する第１の記録手段と、
前記第１の記録手段に記録されたオリジナルの動画と該動画に付属する情報とを受入し、前記オリジナルの動画の画角、手ブレ、及び姿勢のうちの少なくとも１つを補正する補正手段と、
前記補正手段による補正後の動画を第２の記録媒体に記録する第２の記録手段と、
前記第２の記録手段によって記録された補正後の動画を再生する再生手段と、
を備えたことを特徴とする動画記録再生装置。
【発明の詳細な説明】
【０００１】
【発明の属する技術分野】
本発明は動画記録装置、動画再生装置、及び動画記録再生装置に係り、特に動画撮影時の記録と動画再生時の処理の技術に関する。
【０００２】
【従来の技術】
近年のデジタルカメラは、静止画を撮影する機能の他に動画を撮影する機能が付加されてきているが、種々の制約によって以下の点でビデオカメラに劣る場合がある。
【０００３】
（１）  ズーム
光学ズームレンズが搭載されているデジタルカメラであっても、レンズのコストダウンによってスムーズな動画用のズームレンズ駆動方法に対応できず、ズームができないケースがある。
【０００４】
（２）  手ブレ
手ブレ補正手段には、光学レンズで補正する機械式手ブレ補正手段と、イメージセンサ上での画像処理で補正する電子式手ブレ補正手段とがあるが、前者はレンズが大型化しコストアップになり、後者は静止画撮影用の高精細センサとの両立が難しい。
【０００５】
（３）  回転
動画はテレビで鑑賞するため、基本的にカメラを縦位置にして撮影しないものであるが、デジタルカメラで静止画を撮影する場合、縦位置で撮影するケースが多く、静止画と連続して動画を撮影する場合、動画を縦位置で撮影してしまうケースがある。
【０００６】
一方、特許文献１には、動画撮影時に得られた各フレームを圧縮し、この圧縮符号化データに対して、直前フレームのデータ量に対する現フレームのデータ量の変化率から画像の変化の有無を求め、その判定結果を付属データとして付加して記録／伝送したり、また、前記判定結果を利用して画像の変化がない場合には、そのフレームをスキップして記録／伝送し、画像の変化がある場合にはそのフレームを記録／伝送する動画像処理装置が記載されている。尚、圧縮符号化データの記録／伝送を再開する場合には、スキップしたフレーム数を表す付属データを圧縮符号化データに付加して記録／伝送する。これにより、記録媒体に記録するデータ量を時間軸上で圧縮し、又は伝送時間の短縮化を可能にしている。
【０００７】
【特許文献１】
特開平８−１８１９９９号公報
【０００８】
【発明が解決しようとする課題】
デジタルカメラでビデオカメラと同等なズーム、手ブレ補正等がなされた動画の撮影、記録を行うためには、カメラの大型化、コストアップを招くとともに、高速な画像処理機能が要求される。
【０００９】
また、動画の撮影時にカメラを縦位置で撮影した場合には、ＴＶでは良好に動画を鑑賞することができないという問題が生じる。尚、静止画の場合には、縦位置で撮影された画像を回転させて画像を正立させるビューアソフトがある。
【００１０】
一方、特許文献１には、記録媒体に記録するデータ量を時間軸上で圧縮し、又は伝送時間の短縮化のために、各フレームの圧縮符号化データに画像の変化の有無を示す付属データを付加する技術が記載されているが、安価なデジタルカメラでビデオカメラと同等な動画を記録／再生する技術は開示されていない。
【００１１】
本発明はこのような事情に鑑みてなされたもので、比較的安価で小型のデジタルカメラ等でビデオカメラと同等のズーム、手ブレ補正が可能であり、また、カメラが回転（姿勢が変化）しても被写体が常に正立した動画の再生が可能な動画記録装置、動画再生装置、及び動画記録再生装置を提供することを目的とする。
【００１２】
【課題を解決するための手段】
前記目的を達成するために請求項１に係る動画記録装置は、被写体を動画として撮影する撮像手段と、動画撮影時の電子ズームのズーム量、手ブレ量、及び前記撮像手段の横位置及び縦位置を含む姿勢のうちの少なくとも１つの情報を検知する検知手段と、前記撮像手段を介して取得したオリジナルの動画と、該動画の撮影時に前記検知手段が検知した情報とを関連付けて記録媒体に記録する第１の記録手段と、を備えたことを特徴としている。
【００１３】
この動画記録装置は、例えば動画撮影機能を有するデジタルカメラであり、前記第１の記録手段は、電子ズーム、手ブレ補正、又は画像を正立させるための画像処理等が施されていない撮像手段から読み出されたオリジナルの動画を記録媒体に記録する。また、このオリジナルの動画の記録に際し、動画撮影時の電子ズームのズーム量、手ブレ量、及び前記撮像手段の横位置及び縦位置を含む姿勢のうちの少なくとも１つの情報を前記検知手段から取り込んで、オリジナルの動画に関連付けて記録する。前記電子ズーム等の画像処理が施されないオリジナルの動画及び前記検知手段が検知した情報の記録は、大きな負担にならず、リアルタイムに記録媒体に記録することができる。
【００１４】
請求項２に係る動画再生装置は、請求項１に記載の動画記録装置の第１の記録手段に記録されたオリジナルの動画と該動画に付属する情報とを入力する入力手段と、前記入力手段を介して入力した前記オリジナルの動画と該動画に付属する情報とに基づいて前記オリジナルの動画の画角、手ブレ、及び姿勢のうちの少なくとも１つを補正する補正手段と、前記補正手段による補正後の動画を記録する第２の記録手段と、前記第２の記録手段によって記録された補正後の動画を再生する再生手段と、を備えたことを特徴としている。
【００１５】
この動画再生装置は、例えばパーソナルコンピュータであり、前記動画記録装置の第１の記録手段によって記録媒体に記録されたオリジナルの動画と該動画に付属する情報とを入力する。このオリジナルの動画と該動画に付属する情報は、前記動画記録装置と接続されるＵＳＢ等のインターフェースを介して入力するようにしてもよいし、カードリーダ等の読取手段を介して記録媒体から入力するようにしてもよい。
【００１６】
前記動画再生装置の補正手段は、前記入力したオリジナルの動画をその動画に付属する情報に基づいて動画の画角、手ブレ、及び姿勢のうちの少なくとも１つを補正し、前記第２の記録手段は、補正後の動画をハードディスク等に再保存する。ユーザは再保存された補正後の動画を鑑賞することで、ズームの効いた動画、手ブレのない動画、又は回転していない動画（正立している動画）を鑑賞することができる。
【００１７】
請求項３に係る動画記録再生装置は、被写体を動画として撮影する撮像手段と、動画撮影時の電子ズームのズーム量、手ブレ量、及び前記撮像手段の横位置及び縦位置を含む姿勢のうちの少なくとも１つの情報を検知する検知手段と、前記撮像手段を介して取得したオリジナルの動画と、該動画の撮影時に前記検知手段が検知した情報とを関連付けて第１の記録媒体に記録する第１の記録手段と、前記第１の記録手段に記録されたオリジナルの動画と該動画に付属する情報とを受入し、前記オリジナルの動画の画角、手ブレ、及び姿勢のうちの少なくとも１つを補正する補正手段と、前記補正手段による補正後の動画を第２の記録媒体に記録する第２の記録手段と、前記第２の記録手段によって記録された補正後の動画を再生する再生手段と、を備えたことを特徴としている。
【００１８】
この動画記録再生装置は、請求項１に記載の動画記録装置と、請求項２に記載の動画再生装置とを組み合わせたものでもよいし、これらの装置が一体化されたものでもよい。前記オリジナルの動画とそれに付属する情報とは一旦、第１の記録媒体に記録される。その後、第１の記録媒体に記録されたオリジナルの動画とそれに付属する情報は、第１の記録媒体から読み出され、オリジナルの動画はそれに付属する情報に基づいて補正された後、第２の記録媒体に再記録される。尚、前記第１の記録媒体と第２の記録媒体は、別個のものでもよいし、同一のものでもよい。
【００１９】
【発明の実施の形態】
以下添付図面に従って本発明に係る動画記録装置、動画再生装置、及び動画記録再生装置の好ましい実施の形態について詳説する。
【００２０】
図１は本発明に係る動画記録装置の実施の形態を示す背面図であり、デジタルカメラに関して示している。このデジタルカメラ１０は、静止画を撮影する機能の他に、本発明に係る動画を撮影／記録する機能を有しており、デジタルカメラ１０の上面には、撮影モード選択ダイヤル１１及びシャッターボタン１２が設けられている。撮影モード選択ダイヤル１１は、回転させることにより、動画モード、静止画モード（マニュアル撮影モード、オート撮影モード等）の撮影モードを設定できるようになっている。
【００２１】
また、図１に示すようにデジタルカメラ１０の背面には、ファインダ１３、表示ボタン１４、電源ボタン１５、撮影／再生モード選択スイッチ１６、バックスイッチ１７、メニュー／ＯＫスイッチ１８、マルチファンクションの十字キー１９、カメラの動作モード等を表示するドットマトリクスの液晶表示器２０、及び液晶モニタ２１が設けられている。
【００２２】
液晶モニタ２１は、動画（スルー画像）を表示して電子ビューファインダとして使用できるとともに、撮影した記録前の画像（プレビュー画像）やカメラに装填されたメモリカードから読み出した再生画像等を表示することができる。
【００２３】
マルチファンクションの十字キー１９は、カメラの動作モードによって機能が変化し、撮影モードには、十字キー１９の上キーは、ズームアップを指示し、下キーはズームダウンを指示する。
【００２４】
図２は図１に示したデジタルカメラ１０の実施の形態を示すブロック図である。
【００２５】
同図において、コントローラ３０は、前述した撮影モード選択ダイヤル１１、シャッターボタン１２、電源スイッチ１５、撮影／再生モード選択スイッチ１６、バックスイッチ１７、メニュー／ＯＫスイッチ１８、及び十字キー１９等を含むカメラ操作部３２からの入力に基づいてデジタルカメラ１０内の各回路を統括制御する。また、コントローラ３０は、カメラ制御プログラム等が記録されているＲＯＭ３４から必要なプログラムを読み込み、そのプログラムにしたがって種々の動作を各部に実行させる。
【００２６】
次に、このデジタルカメラ１０によって動画を撮影する場合について説明する。まず、電源スイッチ１５が操作されると、コントローラ３０はこれを検出し、カメラ内電源をＯＮにする。ここで、撮影／再生モード選択スイッチ１６によって動画モードが選択されると、録画スタンバイ状態となる。
【００２７】
この録画スタンバイ状態時にシャッターボタン１２が押されると、コントローラ３０はこれを検知し、動画の撮影を開始させる。即ち、コントローラ３０は、撮影レンズ３６を制御し、該撮影レンズ３６を介して被写体の画像光を撮像素子（ＣＣＤ）３８の受光面上に結像させる。ＣＣＤ３８は、受光面に結像された画像光をその光量に応じた量の信号電荷に変換する。このようにして蓄積された信号電荷は、コントローラ３０からのタイミング信号に同期して信号電荷に応じた電圧信号として順次読み出される。尚、動画撮影時には、被写体を連続的に撮影し、例えば３０フレーム／秒のフレームレートでＣＣＤ３８から信号が読み出される。
【００２８】
ＣＣＤ３８から出力された電圧信号は、カメラ信号処理部４０に加えられる。カメラ信号処理部４０は、入力する電圧信号を相関二重サンプリングや増幅等のアナログ処理した後、各画素ごとのＲ、Ｇ、Ｂ信号としてＡ／Ｄ変換し、更にガンマ処理、ＹＣ処理して輝度信号Ｙとクロマ信号Ｃｒ、Ｃｂ（ＹＣ信号）を生成し、ＹＣ信号を記録部４２及び拡大／縮小処理部４４に出力する。
【００２９】
拡大／縮小処理部４４には、コントローラ３０からカメラ操作部３２でのズームキー（十字キー１９の上キー又は下キー）の操作に応じた信号が加えられるようになっており、拡大／縮小処理部４４は、入力するＹＣ信号を前記ズームキーの操作に応じて１画面分のＹＣ信号に対して切り出し範囲を設定し、前記カメラ信号処理部４０から入力するＹＣ信号から前記設定した切り出し範囲のＹＣ信号を切り出し、この切り出したＹＣ信号に対して間引きや補間処理を行った後、液晶モニタ２１に出力する。液晶モニタ２１では、拡大／縮小処理部４４から入力するＹＣ信号に基づいて撮影中の動画を表示する。
【００３０】
また、拡大／縮小処理部４４は、液晶モニタ２１に表示されている動画の画角（ズーム倍率）を示すズーム情報を記録部４２に出力する。
【００３１】
記録部４２は、カメラ信号処理部から出力されるＹＣ信号を、１フレームずつ所定の方式で圧縮し、動画ファイルとしてデジタルカメラ付属の記録媒体に記録する。
【００３２】
ここで、動画ファイルの構造例を図３に示す。同図に示すように、動画ファイルは、先頭にヘッダを有し、続いて各フレーム画像のチャンクの集合である実データが格納される。ヘッダには、ファイル名等の動画全体に関する情報が記録され、各チャンクにはサブヘッダが設けられている。
【００３３】
前記記録部４２は、各チャンクの画像データ（動画データ）のズーム情報をそのチャンクのサブヘッダに記録する。即ち、カメラ信号処理部４０は、動画撮影時にはカメラ操作部３２のズームキーの操作に応じた電子ズームの処理は行わず、オリジナルの動画データを記録部４２に出力し、記録部４２は、カメラ信号処理部４０から入力するオリジナルの動画データと、拡大／縮小処理部４４から入力するズーム情報とを関連付けてデジタルカメラ付属の記録媒体に記録する。
【００３４】
図４は図１に示したデジタルカメラ１０の他の実施の形態を示すブロック図である。尚、図２と共通する部分には同一の符号を付し、その詳細な説明は省略する。
【００３５】
図４に示すデジタルカメラ１０は、図２に示したデジタルカメラ１０の拡大／縮小処理部４４の代わりに手ブレ検出部４７が設けられている。この手ブレ検出部４７には、カメラ信号処理部４０からオリジナルの動画データが加えられており、手ブレ検出部４７は、現在のフレームと１つ前のフレームとの画像のずれ量（ずれ方向を含む）を公知の画像処理によって検出し、このずれ量を手ブレ情報として記録部４２に出力する。
【００３６】
記録部４２は、手ブレ検出部４７から入力する手ブレ情報を、その手ブレ情報を検出した動画データのチャンクのサブヘッダに記録する。即ち、カメラ信号処理部４０は、手ブレが発生している場合には、手ブレが発生しているオリジナルの動画データを記録部４２に出力し、記録部４２は、カメラ信号処理部４０から入力するオリジナルの動画データと、手ブレ検出部４７から入力する手ブレ情報とを関連付けてデジタルカメラ付属の記録媒体に記録する。
【００３７】
尚、この実施の形態の手ブレ検出部４７は、動画データから画像処理によって手ブレ情報を検出するようにしているが、これに限らず、デジタルカメラ１０に角速度センサを設け、この角速度センサが検出する角速度に基づいて手ブレ情報を検出するようにしてもよい。
【００３８】
図５は図１に示したデジタルカメラ１０の更に他の実施の形態を示すブロック図である。尚、図２と共通する部分には同一の符号を付し、その詳細な説明は省略する。
【００３９】
図５に示すデジタルカメラ１０は、図２に示したデジタルカメラ１０の拡大／縮小処理部４４の代わりに姿勢検出部４８が設けられている。この姿勢検出部４８は、デジタルカメラ１０の横位置（水平状態）からの撮影レンズ３６の光軸回りの回転角を検出するもので、デジタルカメラ１０が横位置の場合には、０°、デジタルカメラ１０が縦位置の場合には、−９０°又は＋９０°として検出する。尚、姿勢検出部４８は、０°と±９０°の横位置、縦位置の検出に限らず、任意の回転角の検出を行うことができる。
【００４０】
この姿勢検出部４８によって検出されたカメラの回転角（姿勢情報）は、記録部４２に加えられる。記録部４２は、姿勢検出部４８から入力する姿勢情報を、その姿勢情報を検出した動画データのチャンクのサブヘッダに記録する。即ち、カメラ信号処理部４０は、任意のカメラ姿勢で撮影されたオリジナルの動画データを記録部４２に出力し、記録部４２は、カメラ信号処理部４０から入力するオリジナルの動画データと、姿勢検出部４８から入力する姿勢情報とを関連付けてデジタルカメラ付属の記録媒体に記録する。
【００４１】
次に、本発明に係る動画再生装置について説明する。
【００４２】
上記デジタルカメラ１０で記録されたオリジナルの動画データを良好に再生する場合には、デジタルカメラ１０をＵＳＢ（Ｕｎｉｖｅｒｓａｌ  Ｓｅｒｉａｌ  Ｂｕｓ）などのインターフェース４６を介して動画再生装置（例えば、パーソナルコンピュータ）５０に接続し、動画データとズーム情報、動画データと手ブレ情報、又は動画データと姿勢情報を含む動画ファイルをパーソナルコンピュータ５０に送信する。
【００４３】
図６は上記パーソナルコンピュータ５０（以下、「パソコン」という）のハードウェア構成例を示すブロック図である。
【００４４】
同図に示すようにパソコン５０は、主として各構成要素の動作を制御する中央処理装置（ＣＰＵ）６０と、装置の制御プログラムが格納されたり、プログラム実行時の作業領域となる主メモリ６２と、パソコン５０のオペレーティングシステム（ＯＳ）、パソコン５０に接続された周辺機器のデバイスドライバ、本発明に係る動画処理ソフトウエアを含む各種のアプリケーションソフト、ユーザの画像等が格納されるハードディスク装置５６と、ＣＤ−ＲＯＭドライブ６６と、表示用データを一時記憶する表示メモリ６８と、この表示メモリ６８からの画像データ、文字データ等により画像や文字等を表示するＣＲＴモニタや液晶モニタ等のモニタ装置７０と、キーボード７２と、位置入力装置としてのマウス７４と、マウス７４の状態を検出してモニタ装置７０上のマウスポインタの位置やマウス７４の状態等の信号をＣＰＵ６０に出力するマウスコントローラ７６と、デジタルカメラ１０と接続して動画ファイル等の入力が可能なＵＳＢなどのインターフェース７７と、上記各構成要素を接続するバス７８とから構成されている。
【００４５】
尚、上記構成のパソコン５０は、ハードディスク装置６４に格納されている動画処理ソフトウエアを除いて周知のものであるため、各構成要素の詳細な説明については省略する。この動画処理ソフトウエアは、例えば、デジタルカメラ１０の購入時に同梱されているＣＤ−ＲＯＭなどに記録されており、このＣＤ−ＲＯＭをパソコン５０のＣＤ−ＲＯＭドライブ６６にセットすることにより、パソコン５０にインストールすることができる。また、図示しない通信手段を介して動画処理ソフトウエアを提供するサーバからダウンロードすることもできる。
【００４６】
次に、上記動画処理ソフトウエアの処理内容について説明する。
【００４７】
この動画処理ソフトウエアは、図３に示した動画ファイルの各チャンクの動画データをサブヘッダに記録された情報（ズーム情報、手ブレ情報、又は姿勢情報）に基づいて処理するもので、以下、ズーム情報に基づいて動画データを処理する場合について説明する。
【００４８】
動画処理ソフトウエアが起動され、デジタルカメラ１０の記録媒体に格納されている動画ファイル、又はデジタルカメラ１０から転送されてハードディスク装置６４に格納されている所望の動画ファイルが選択されると、ＣＰＵ６０は選択した動画ファイルの動画データとズーム情報とを主メモリ６２に読み出し、圧縮されている動画データは伸長する。
【００４９】
続いて、各フレームの動画データをその動画データに付属するズーム情報に基づいて電子ズーム処理する。この電子ズーム処理は、図７（Ａ）に示すようにオリジナルの動画データからズーム情報（ズーム倍率）に応じた画角内の動画データを切り出し、同図（Ｂ）に示すように切り出した動画データを間引きや補間処理等により所定の画像サイズにリサイズする。このようにして全てのフレームの動画データに対する電子ズーム処理が終了すると、処理後の動画データに基づいて新たな動画ファイルを作成し、ハードディスク装置６４に再記録する。
【００５０】
上記動画処理済みの動画ファイルを公知の動画用のビューアソフトを起動して再生することにより、ズームの効いた動画をモニタ装置７０に表示させることができる。
【００５１】
次に、手ブレ情報に基づいて動画データを処理する場合について説明する。
【００５２】
この場合には、図８（Ａ）に示すように予めオリジナルの動画データの全エリアＡよりも小さい手ブレ補正用エリアＢを設定しておき、オリジナルの動画データから手ブレ補正用エリアＢ内の動画データを切り出し、同図（Ｂ）に示すように切り出した動画データを所定の画像サイズにリサイズする。尚、手ブレ補正用エリアＢは、手ブレ情報に応じてオリジナルの動画データの全エリアＡ内で移動させられる。
【００５３】
このようにして全てのフレームの動画データに対する手ブレ補正処理が終了すると、処理後の動画データに基づいて新たな動画ファイルを作成し、ハードディスク装置６４に再記録する。
【００５４】
上記動画処理済みの動画ファイルを動画用のビューアソフトを起動して再生することにより、手ブレのない動画をモニタ装置７０に表示させることができる。
【００５５】
次に、姿勢情報に基づいて動画データを処理する場合について説明する。
【００５６】
図９（Ａ）乃至（Ｃ）に示すようにデジタルカメラ１０の姿勢を横位置、斜め位置、及び縦位置で動画を撮影し、その動画をそのまま再生すると、同図（Ｄ）乃至（Ｆ）に示すように横位置以外の姿勢で撮影された動画は、モニタ画面上で被写体が正立せず、見苦しいものになる。
【００５７】
そこで、動画データとともに記録された姿勢情報に基づいて動画を回転させ、被写体がモニタ画面上で正立するようにする。
【００５８】
即ち、図９（Ｇ）乃至（Ｉ）に示すように動画表示用のウインドウＷ内にオリジナルの動画フレームを嵌め込んでなる動画データを再構成する。このとき、オリジナルの動画フレームは、適宜の画像サイズにリサイズされるとともに、各フレームに付属する姿勢情報に基づいて回転させられて動画表示用のウインドウＷに嵌め込まれる。
【００５９】
このようにして全てのフレームの動画データに対する姿勢補正処理が終了すると、処理後の動画データに基づいて新たな動画ファイルを作成し、ハードディスク装置６４に再記録する。
【００６０】
上記動画処理済みの動画ファイルを動画用のビューアソフトを起動して再生することにより、どのような姿勢で動画の撮影を行っても常に被写体が正立した動画をモニタ装置７０に表示させることができる。
【００６１】
尚、この実施の形態では、オリジナルの動画データとともに、ズーム情報、手ブレ情報、及び姿勢情報のうちのいずれか１つの情報が記録されている場合について説明したが、デジタルカメラ１０は複数の情報を記録するようにしてもよく、また、パソコン５０は複数の情報が記録されている場合には、各情報に応じた動画処理を平行して行う。
【００６２】
また、この実施の形態では、デジタルカメラ１０とパソコン５０とを接続してデジタルカメラ１０からパソコン５０に動画ファイルを転送するようにしたが、これに限らず、デジタルカメラ１０のリムーバブルな記録媒体をパソコン５０のカードリーダ等の読取手段に装着してオリジナルの動画ファイルをパソコン５０に入力するようにしてもよい。
【００６３】
更に、デジタルカメラ１０に上記パソコン５０の動画再生機能を追加し、デジタルカメラ１０内で動画記録と動画再生とを完結させるようにしてもよい。
【００６４】
【発明の効果】
以上説明したように本発明によれば、オリジナルの動画データを電子ズーム、手ブレ補正、又は姿勢補正等の処理を行わずに記録媒体に記録するとともに、ズーム情報、手ブレ情報又は姿勢情報を付属情報として記録するようにしたため、比較的安価で小型のデジタルカメラ等でビデオカメラと同等のズーム、手ブレ補正が可能であり、また、カメラが回転（姿勢が変化）しても被写体が常に正立した動画の生成が可能な動画を取得することができ、また、処理時間に余裕のあるときにパソコン等によってオリジナルの動画データをその付属情報で処理することで、ズームの効いた動画、手ブレのない動画、又は被写体が常に正立した動画の再記録及び再生ができる。
【図面の簡単な説明】
【図１】本発明に係る動画記録装置（デジタルカメラ）の背面図
【図２】図１に示したデジタルカメラの実施の形態を示すブロック図
【図３】動画ファイルの構造例を示す図
【図４】図１に示したデジタルカメラの他の実施の形態を示すブロック図
【図５】図１に示したデジタルカメラの更に他の実施の形態を示すブロック図
【図６】動画処理ソフトウエアを有するパソコンのハードウェア構成例を示すブロック図
【図７】図６に示したパソコンでの電子ズーム処理を説明するために用いた図
【図８】図６に示したパソコンでの手ブレ補正処理を説明するために用いた図
【図９】図６に示したパソコンでの姿勢補正処理を説明するために用いた図
【符号の説明】
１０…デジタルカメラ、２１…液晶モニタ、３０…コントローラ、３２…カメラ操作部、３６…撮影レンズ、３８…ＣＣＤ、４０…カメラ信号処理部、４２…記録部、４４…拡大／縮小処理部、４７…手ブレ検出部、４８…姿勢検出部、５０…パーソナルコンピュータ（パソコン）、６０…ＣＰＵ、６２…主メモリ、６４…ハードディスク装置、７０…モニタ装置
【図１】
2004248171.tif 000003
【図２】
2004248171.tif 000004
【図３】
2004248171.tif 000005
【図４】
2004248171.tif 000006
【図５】
2004248171.tif 000007
【図６】
2004248171.tif 000008
【図７】
2004248171.tif 000009
【図８】
2004248171.tif 000010
【図９】
2004248171.tif 000011